(57)【要約】【課題】キャッシュバック処理において、正当なユーザにのみ適切にキャッシュバック処理を行うこと。【解決手段】キャリア判定部１２２は、キャッシュバックの対象候補となる携帯端末１２−１に割り当てられた電話番号が登録されているキャリアを判定する。アクセス網判定部１２３は、携帯端末１２−１が使用している通信方式が、Ｗｉ−Ｆｉ（登録商標）接続とキャリア網接続とのうち何れであるのかを判定する。振込実行部１０４は、キャリア判定部１２２により判定されたキャリアが、当該携帯端末１２−１の購入時に契約したキャリアと一致し、かつ、アクセス網判定部１２３により判定された通信方式がキャリア網接続である場合、当該携帯端末１２−１のユーザに対してキャッシュバックをするための振込処理を実行する。【選択図】図３
2019109925.tif 000002
【特許請求の範囲】
【請求項１】
キャッシュバックの対象候補となる携帯端末に割り当てられた電話番号が登録されているキャリアを判定するキャリア判定手段と、
前記携帯端末が使用している通信方式が、Ｗｉ−Ｆｉ（登録商標）接続とキャリア網接続とのうち何れであるのかを判定するアクセス網判定手段と、
前記キャリア判定手段により判定された前記キャリアが、当該携帯端末の購入時に契約したキャリアと一致し、かつ、前記アクセス網判定手段により判定された通信方式が前記キャリア網接続である場合、当該携帯端末のユーザに対してキャッシュバックをするための振込処理を実行する振込処理手段と、
を備える情報処理装置。
【請求項２】
前記携帯端末に対して指定した場所に電話がかかってきた際に得られる電話番号と、前記携帯端末の購入時に契約したキャリアから割り当てられた電話番号とが一致しているか否かを判定する電話番号判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記電話番号判定手段により２つの電話番号が一致していると判定された場合、前記振込処理を実行する、
請求項１に記載の情報処理装置。
【請求項３】
前記携帯端末に対して指定した第１ｗｅｂページにアクセスしてきた端末に対してＣｏｏｋｉｅを埋め込み、その後、当該携帯端末に対して指定した第２ｗｅｂページにアクセスしてきた端末に、前記Ｃｏｏｋｉｅが埋め込まれているか否かを判定するＣｏｏｋｉｅ判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記Ｃｏｏｋｉｅ判定手段により前記Ｃｏｏｋｉｅが埋め込まれていると判定された場合、前記振込処理を実行する、
請求項１に記載の情報処理装置。
【請求項４】
所定のｗｅｂページの所在を示す情報を前記携帯端末に送信してから、当該携帯端末から前記ｗｅｂページにアクセスするまでの時間が、所定時間を超えていないか否かを判定する時間判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記時間判定手段により前記所定時間を超えていないと判定された場合、前記振込処理を実行する、
請求項１に記載の情報処理装置。
【請求項５】
情報処理装置が実行する情報処理方法において、
キャッシュバックの対象候補となる携帯端末に割り当てられた電話番号が登録されているキャリアを判定するキャリア判定ステップと、
前記携帯端末が使用している通信方式が、Ｗｉ−Ｆｉ（登録商標）接続とキャリア網接続とのうち何れであるのかを判定するアクセス網判定ステップと、
前記キャリア判定ステップの処理により判定された前記キャリアが、当該携帯端末の購入時に契約したキャリアと一致し、かつ、前記アクセス網判定ステップの処理により判定された通信方式が前記キャリア網接続である場合、当該携帯端末のユーザに対してキャッシュバックをするための振込処理を実行する振込処理ステップと、
を含む情報処理方法。
【請求項６】
コンピュータに、
キャッシュバックの対象候補となる携帯端末に割り当てられた電話番号が登録されているキャリアを判定するキャリア判定ステップと、
前記携帯端末が使用している通信方式が、Ｗｉ−Ｆｉ（登録商標）接続とキャリア網接続とのうち何れであるのかを判定するアクセス網判定ステップと、
前記キャリア判定ステップの処理により判定された前記キャリアが、当該携帯端末の購入時に契約したキャリアと一致し、かつ、前記アクセス網判定ステップの処理により判定された通信方式が前記キャリア網接続である場合、当該携帯端末のユーザに対してキャッシュバックをするための振込処理を実行する振込処理ステップと、
を含む情報処理を実行させるプログラム。
【発明の詳細な説明】
【技術分野】
【０００１】
本発明は、情報処理装置、情報処理方法、及びプログラムに関する。
【背景技術】
【０００２】
スマートフォン等の携帯端末は、ユーザが契約したキャリア専用の通信網（以下、「キャリア網」と呼ぶ）に接続して通信することができる（例えば特許文献１参照）。また、携帯端末は、キャリア網への接続とは別に、Ｗｉ−Ｆｉ（登録商標）によりインターネットに接続して通信することもできる。
【０００３】
このような、携帯端末の業界においては、キャッシュバック制度が広く利用されている。キャッシュバック制度とは、ユーザが契約したキャリアのキャリア網を利用することを前提に、携帯ショップにて携帯端末を購入した各ユーザに対して、契約金や通信料等の一部を返金するという名目で、所定の金額を譲渡（キャッシュバック）する制度をいう。
【先行技術文献】
【特許文献】
【０００４】
【特許文献１】特開２００５−１９１８８０号公報
【発明の概要】
【発明が解決しようとする課題】
【０００５】
しかしながら、キャリア網の利用をすることなく、キャッシュバック制度のみを利用して、所定の金額のみを受け取るユーザ（以下、「不正ユーザ」と呼ぶ）の存在が問題となっている。
また、キャッシュバック制度では、携帯ショップにおいて現金をユーザに手渡すことは効果的であるが、携帯ショップの業務の煩雑化に繋がることや、携帯ショップの店員等の現金の管理ミスや紛失といった問題があった。
そのような実情を受けて、正当なユーザにのみ適切にキャッシュバックを行う処理を実行可能なシステムが要求されていた。
【０００６】
本発明は、このような状況に鑑みてなされたものであり、正当なユーザにのみ適切にキャッシュバックを行う処理を実行可能なシステムを実現することを目的とする。
【課題を解決するための手段】
【０００７】
上記目的を達成するため、本発明の一態様の情報処理装置は、
キャッシュバックの対象候補となる携帯端末に割り当てられた電話番号が登録されているキャリアを判定するキャリア判定手段と、
前記携帯端末が使用している通信方式が、Ｗｉ−Ｆｉ（登録商標）接続とキャリア網接続とのうち何れであるのかを判定するアクセス網判定手段と、
前記キャリア判定手段により判定された前記キャリアが、当該携帯端末の購入時に契約したキャリアと一致し、かつ、前記アクセス網判定手段により判定された通信方式が前記キャリア網接続である場合、当該携帯端末のユーザに対してキャッシュバックをするための振込処理を実行する振込処理手段と、
を備える。
【０００８】
ここで、前記携帯端末に対して指定した場所に電話がかかってきた際に得られる電話番号と、前記携帯端末の購入時に契約したキャリアから割り当てられた電話番号とが一致しているか否かを判定する電話番号判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記電話番号判定手段により２つの電話番号が一致していると判定された場合、前記振込処理を実行する、
ことができる。
【０００９】
また、前記携帯端末に対して指定した第１ｗｅｂページにアクセスしてきた端末に対してＣｏｏｋｉｅを埋め込み、その後、当該携帯端末に対して指定した第２ｗｅｂページにアクセスしてきた端末に、前記Ｃｏｏｋｉｅが埋め込まれているか否かを判定するＣｏｏｋｉｅ判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記Ｃｏｏｋｉｅ判定手段により前記Ｃｏｏｋｉｅが埋め込まれていると判定された場合、前記振込処理を実行する、ことができる。
【００１０】
所定のｗｅｂページの所在を示す情報を前記携帯端末に送信してから、当該携帯端末から前記ｗｅｂページにアクセスするまでの時間が、所定時間を超えていないか否かを判定する時間判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記時間判定手段により前記所定時間を超えていないと判定された場合、前記振込処理を実行する、
ことができる。
【００１１】
本発明の一側面の情報処理方法及びプログラムは、上述の本発明の一側面の情報処理装置に対応する方法及びプログラムである。
【発明の効果】
【００１２】
本発明によれば、キャッシュバック処理において、正当なユーザにのみ適切にキャッシュバックを行う処理を実行可能なシステムを実現することができる。
【図面の簡単な説明】
【００１３】
【図１】本発明の一実施形態に係る情報処理システムの構成を示す図である。
【図２】図１の情報処理システムのうち、本発明の情報処理装置の一実施形態に係るサービス提供サーバのハードウェアの構成を示すブロック図である。
【図３】図１の情報処理システムのうち、キャッシュバック処理の実行を制御する機能的構成を示す機能ブロック図である。
【図４】図３の機能的構成を有するサービス提供サーバによる情報処理システムの流れを説明するフローチャートである。
【図５】図３の機能的構成を有するサービス提供サーバによる情報処理システムの流れを説明するフローチャートである。
【図６】図４及び図５のキャッシュバック処理が実行される際の、サービス提供サーバと他の装置との間のやり取りの関係を示すアローチャートである。
【発明を実施するための形態】
【００１４】
図１は、本発明の一実施形態に係る情報処理システムの構成を示している。
図１に示す情報処理システムは、サービス提供サーバ１１と、ｎ台（ｎは任意の整数値）のユーザ端末１２−１〜１２−ｎと、携帯ショップ装置１３と、を含んで構成されている。
【００１５】
サービス提供サーバ１１は、ユーザ端末１２−１〜１２−ｎを販売する店舗（以下、「携帯ショップ」と呼ぶ）の代わりに、ユーザにキャッシュバックをするサービスの提供者により管理されるサーバである。
サービス提供サーバ１１は、ユーザ端末１２−１〜１２−ｎの夫々と通信をして、各ユーザに対してキャッシュバックをするまでの一連の処理（以下、「キャッシュバック処理」と呼ぶ）を実行する。
【００１６】
ユーザ端末１２−１乃至１２−ｎの夫々は、ｎ人のユーザの夫々により所持される、スマートフォン等である。
なお以下、ユーザ端末１２−１〜１２−ｎの夫々を、個々に区別する必要がない場合、これらをまとめて、「ユーザ端末１２」と呼ぶ。
【００１７】
ユーザ端末１２は、他装置との通信方式として、Ｗｉ−Ｆｉ（登録商標）を用いてインターネットＮと接続して通信する方式（以下、「Ｗｉ−Ｆｉ（登録商標）接続」と呼ぶ）を採用している。また、ユーザ端末１２は、ユーザが契約しているキャリアのキャリア網に接続して通信する方式（以下、「キャリア網接続」と呼ぶ）を採用している。
なお、図１においては、第１キャリアによるキャリア網Ｃ１と、第２キャリアによるキャリア網Ｃ２のみが図示されているが、実際には更に多くのキャリアによるキャリア網が存在する。ただし、以下、説明の便宜上、ユーザ端末１２は、第１キャリア又は第２キャリアの何れかに契約するものとする。
具体的には図１に示すように、ユーザ端末１２−１及びユーザ端末１２−２は、第１キャリアと契約した端末であるものとし、第１キャリアのキャリア網Ｃ１に対してキャリア網接続をするものとする。一方、ユーザ端末１２−ｎは、第２キャリアと契約した端末であるものとし、第２キャリアのキャリア網Ｃ２に対して、キャリア網接続をするものとする。
【００１８】
携帯ショップ装置１３は、携帯ショップで管理されるパーソナルコンピュータ等である。
なお、説明の便宜上、サービス提供サーバ１１と携帯ショップ装置１３も、何らかの方式で、インターネットＮ、キャリア網Ｃ１、及びキャリア網Ｃ２と接続できるものとする。
【００１９】
図２は、図１の情報処理システムのうち、本発明の情報処理装置の一実施形態に係るサービス提供サーバ１１のハードウェアの構成を示すブロック図である。
サービス提供サーバ１１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０とを備えている。
【００２０】
ＣＰＵ２１は、ＲＯＭ２２に記録されているプログラム、又は、記憶部２８からＲＡＭ２３にロードされたプログラムに従って各種の処理を実行する。
ＲＡＭ２３には、ＣＰＵ２１が各種の処理を実行する上において必要なデータ等も適宜記憶される。
【００２１】
ＣＰＵ２１、ＲＯＭ２２、及びＲＡＭ２３は、バス２４を介して相互に接続されている。このバス２４にはまた、入出力インターフェース２５も接続されている。入出力インターフェース２５には、出力部２６、入力部２７、記憶部２８、通信部２９、及びドライブ３０が接続されている。
【００２２】
出力部２６は、ディスプレイやスピーカ等で構成され、画像や音声等の各種情報を出力する。
入力部２７は、マウスやキーボード等で構成され、各種情報を入力する。
記憶部２８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部２９は、インターネットＮ、キャリア網Ｃ１、又はキャリア網Ｃ２と接続して、他の装置（本実施形態では図１のユーザ端末１２や携帯ショップ装置１３）との間で通信を行う。
【００２３】
ドライブ３０には、必要に応じて、リムーバブルメディア４１が適宜装着される。ドライブ３０によってリムーバブルメディア４１から読み出されたプログラムは、必要に応じて記憶部２８にインストールされる。また、リムーバブルメディア４１は、記憶部２８に記憶されている各種データも、記憶部２８と同様に記憶することができる。
【００２４】
図３は、図１の情報処理システムの機能的構成のうち、キャッシュバック処理の実行を制御する機能的構成を示す機能ブロック図である。
【００２５】
サービス提供サーバ１１のＣＰＵ２１（図２）においては、キャッシュバック処理が実行される場合、図３に示すように、通信制御部１０１と、抽出部１０２と、判定部１０３と、振込実行部１０４とが機能する。
【００２６】
通信制御部１０１は、通信部２９による他の装置との通信を制御する。ここで、他の装置とは、本実施形態では図１のユーザ端末１２−１乃至１２−ｎ及び携帯ショップ装置１３を意味するが、以下説明の便宜上、図３に示すユーザ端末１２−１、又は、携帯ショップ装置１３であるものとする。
【００２７】
通信制御部１０１は、送信情報生成部１１１と、受信情報取得部１１２とを備える。
送信情報生成部１１１は、他装置に対して送信する情報（以下、「送信情報」と呼ぶ）を生成して、通信部２９を介して他装置に送信する。なお、送信情報の具体例については、後述する。
受信情報取得部１１２は、他装置からの情報が通信部２９に受信された場合、当該情報（以下、「受信情報」と呼ぶ）を取得する。なお、受信情報の具体例については、後述する。
【００２８】
抽出部１０２は、キャッシュバックの対象となるユーザの候補の各種情報を抽出する。
ここで、候補としたのは、キャッシュバックの対象となるべきではない不正ユーザの情報も抽出される可能性があるからである。換言すると、本実施形態のキャッシュバック処理では、後述する判定部１０３による各種判定処理により、ユーザの候補の中から不正ユーザを見つけ出し、当該不正ユーザに対してキャッシュバックを禁止する処理が含まれているからである。つまり、本実施形態のキャッシュバック処理を実行することにより、キャッシュバックの対象となる正当なユーザに対してのみ、キャッシュバックが行われる。
【００２９】
判定部１０３は、上述したように、抽出部１０２により抽出された各種情報で特定されるユーザの候補が、正当なユーザであるか否か、換言すると不正ユーザであるか否かを判定する。
判定の種類に応じて、各種の判定部が判定部１０３に設けられる。具体的には、図３の例では、電話番号判定部１２１、キャリア判定部１２２、アクセス網判定部１２３、Ｃｏｏｋｉｅ判定部１２４、時間判定部１２５、及び最終判定部１２６が、判定部１０３に設けられている。
【００３０】
ここで、不正ユーザを見つけ出すために特に重要な判定を行うものは、キャリア判定部１２２及びアクセス網判定部１２３である。そこで、以下、キャリア判定部１２２及びアクセス網判定部１２３の機能について説明する。
【００３１】
例えばユーザは、携帯ショップにおいて、第１キャリアと契約して、当該第１キャリアのキャリア網Ｃ１を用いて通信をすることを前提として、ユーザ端末１２−１を購入したものとする。
この場合、ユーザ端末１２−１に対しては一意の電話番号が割り当てられ、当該電話番号は、第１キャリアのＨＬＲ１３０（Ｈｏｍｅ  Ｌｏｃａｔｉｏｎ  Ｒｅｇｉｓｔｅｒ１３０）に登録されて管理されるものとする。
【００３２】
ユーザ端末１２−１のユーザがキャッシュバックの対象候補である場合、受信情報取得部１１２は、ユーザの契約時にユーザ端末１２−１に対して割り当てられた電話番号を、携帯ショップ装置１３から、受信情報として取得する。
【００３３】
キャリア判定部１２２は、受信情報取得部１１２により取得された電話番号が登録されているキャリアを判定する。
ここで、ユーザが正当なユーザである場合、即ち、第１キャリアとの契約を維持している場合、携帯ショップにおいてユーザの契約時にユーザ端末１２−１に対して割り当てられた電話番号は、第１キャリアのキャリア網Ｃ１内のＨＬＲ１３０に登録されている。従って、キャリア判定部１２２は、当該電話番号が第１キャリアのＨＬＲ１３０に登録されている場合、第１キャリアであると判定する。
これに対して、仮にユーザが不正ユーザである場合、即ち、電話番号を維持したまま、第１キャリアから第２キャリアに乗り換えた場合、当該電話番号は、第１キャリアのＨＬＲ１３０からは抹消され、図３に図示せぬ第２キャリアのＨＬＲに登録されて管理されている。従って、キャリア判定部１２２は、当該電話番号が第２キャリアのＨＬＲ（図示せず）に登録されている場合、第２キャリアであると判定する。
このように、キャリア判定部１２２は、各キャリアのＨＬＲを確認することで、所定の電話番号が何れのキャリアに登録されているのかを判定する。
【００３４】
ここで、上述したように、契約したキャリアのキャリア網を利用することを前提として、キャッシュバックは行われる。
換言すると、第１キャリアとの契約を維持しているユーザであっても、ユーザ端末１２−１を用いて通信をするに際し、キャリア網Ｃ１のキャリア網接続を一切使用せずに、Ｗｉ−Ｆｉ（登録商標）接続のみを使用するならば、キャッシュバックの対象とすべきではない。
そこで、本実施形態では、少なくともキャッシュバック処理中においてはキャリア網Ｃ１のキャリア網接続をする、ということがキャッシュバックの条件（コンセプト）として採用されている。即ち、この条件に従わないユーザは、不正ユーザとして、キャッシュバックの対象から除外されることになる。
そこで、アクセス網判定部１２３は、キャッシュバック処理中にユーザ端末１２−１が使用している通信方式として、Ｗｉ−Ｆｉ（登録商標）接続なのか、それとも、キャリア網接続なのかを判定する。
【００３５】
なお、第１キャリアと契約したユーザの中には、キャッシュバック処理中においてキャリア網Ｃ１のキャリア網接続をすることが、キャッシュバックの条件（コンセプト）であることを知らない者も存在し得る。
このようなユーザは、たまたまＷｉ−Ｆｉ（登録商標）接続中にキャッシュバック処理を実行する場合がある。そのような場合に、当該ユーザを不正ユーザとみなすのは酷である。そこで、本実施形態では、アクセス網判定部１２３によりＷｉ−Ｆｉ（登録商標）接続と判定された場合であっても、直ちに不正ユーザと取り扱わずに、キャリア網接続に切り替えることを促すようにしている。つまり、そのような促しに無視してまで、Ｗｉ−Ｆｉ（登録商標）接続を継続するユーザを、不正ユーザとみなすようにしている。
【００３６】
以上、不正ユーザを見つけ出すために特に重要な判定を行うものとして、キャリア判定部１２２及びアクセス網判定部１２３について説明した。
なお、それ以外の電話番号判定部１２１、Ｃｏｏｋｉｅ判定部１２４、時間判定部１２５、及び最終判定部１２６については、後述の図４〜図６の説明の際に、あわせて説明する。
【００３７】
ユーザ端末１２−１を使用するユーザが判定部１０３により正当ユーザであると判定された場合、振込実行部１０４は、当該ユーザ端末１２−１のユーザに対して、キャッシュバックをするための処理を実行する。
ここで、判定部１０３により正当ユーザであると判定されるためには、キャリア判定部１２２により判定されたキャリアが、ユーザの契約時点のキャリアと一致し（つまり本例では第１キャリアであり）、かつ、アクセス網判定部１２３により判定された通信方式がキャリア網接続であることが少なくとも必要である。更に本実施形態では、後述する電話番号判定部１２１、Ｃｏｏｋｉｅ判定部１２４、時間判定部１２５、及び最終判定部１２６の各種判定結果も用いられて、正当ユーザであるか否かが判断される。
【００３８】
図４及び図５は、図３の機能的構成を有するサービス提供サーバ１１によるキャッシュバック処理の流れを説明するフローチャートである。
図６は、図４及び図５のキャッシュバック処理が実行される際（正当ユーザがキャッシュバックを受ける際）の、サービス提供サーバ１１と他の装置との間のやり取りの関係を示すアローチャートである。
【００３９】
図６に示すステップＳ５０において、携帯ショップ装置１３は、ユーザＩＤ等の契約者情報をサービス提供サーバ１１に送信する。
具体的には例えば本実施形態では、キャッシュバックの対象となるユーザの候補についての契約者情報としては、ユーザＩＤ、（キャリア契約時の）携帯電話番号、キャリア情報等が含まれている。このような契約者情報は、ＣＳＶ（Ｃｏｍｍａ−Ｓｅｐａｒａｔｅｄ  Ｖａｌｕｅｓ）アップやＡＰＩ（Ａｐｐｌｉｃａｔｉｏｎ  Ｐｒｏｇｒａｍｍｉｎｇ  Ｉｎｔｅｒｆａｃｅ）等での自動取り込みにより、携帯ショップ装置１３からサービス提供サーバ１１に送信される。
なお、ステップＳ５０の処理タイミングは、特に限定されない。例えば契約時点からの経過日に基づいて決定される所定タイミング（例えば毎週日曜日の所定時刻）に、ステップＳ５０の処理を実行してもよい。また例えば、後述するステップＳ４において第１ＳＭＳ（Ｓｈｏｒｔ  Ｍｅｓｓａｇｅ  Ｓｅｒｖｉｃｅ）等を送信したにもかかわらず、ユーザによるキャッシュバック手続きがされていない場合に、ステップＳ５０の処理を再度実行してもよい。
【００４０】
このようにして、携帯ショップ装置１３から契約者情報が送信されてきた場合、サービス提供サーバ１１の受信情報取得部１１２は、当該契約者情報を受信情報として取得する。
すると、ステップＳ１において、抽出部１０２は、キャッシュバックの対象となるユーザの候補についての契約者情報（受信情報）を抽出する。
【００４１】
ステップＳ２において、キャリア判定部１２２は、キャリア判定処理を実行する。即ち、キャリア判定部１２２は、ステップＳ１で抽出された契約者情報（電話番号情報）により特定される電話番号が、何れのキャリア（本例では第１キャリア、又は、第２キャリア）に登録されているのかについて、各キャリアのＨＬＲを確認することで判定する。
【００４２】
ステップＳ３において、キャリア判定部１２２は、ステップＳ２のキャリア判定がＯＫであったか否かを判定する。
ここで、「キャリア判定がＯＫ」とは、ステップＳ２においてＨＬＲから確認されたキャリアと、ステップＳ１で抽出された契約者情報（キャリア情報）で特定されるキャリアとが一致することをいう。
【００４３】
上述の例で説明したように、ユーザ端末１２−１は第１キャリアと契約している。つまり、ステップＳ１で抽出された契約者情報（キャリア情報）で特定されるキャリアとは、第１キャリアである。
従って、仮にステップＳ１で抽出された契約者情報（電話番号情報）により特定される電話番号が、第２キャリアのＨＬＲ（図示せず)に登録されていた場合（第１キャリアの図３のＨＬＲ１３０に登録されていなかった場合）、「キャリア判定はＯＫ」とならない。このような場合、ステップＳ３においてＮＯであると判定されて、処理はステップＳ２１に進む。
【００４４】
ステップＳ２１において、キャリア判定部１２２は、排除の処理を実行する。
ここで、排除の処理とは、不正ユーザが、これ以降のキャッシュバック処理操作を行うことができないようにするための処理をいう。
ステップＳ２１の排除の処理が実行されると、キャッシュバック処理終了となる。即ち、「キャリア判定はＯＫ」とならない場合とは、キャリアを乗り換えた不正ユーザ（本例では第１キャリアから第２キャリアへ乗り換えた不正ユーザ）の場合を意味するので、このような不正ユーザに対してキャッシュバック処理の実行を禁止する。
【００４５】
つまり、ステップＳ２及びＳ３のキャリア判定を行うことにより、キャッシュバック処理時において、契約時点のキャリアと異なったキャリアを使用しているにもかかわらず、キャッシュバックを受けようとするような不正ユーザに対して、キャッシュバック処理が実行されるのを防止することができる。
【００４６】
通常の場合、ステップＳ１で抽出されたユーザ端末１２−１の契約者情報（電話番号情報）により特定される電話番号は、第１キャリアの図３のＨＬＲ１３０に登録されている。この場合、「キャリア判定はＯＫ」となるため、ステップＳ３においてＹＥＳであると判定されて、処理はステップＳ４に進む。
【００４７】
ステップＳ４において、送信情報生成部１１１は、第１ＳＭＳ等を送信情報として生成して、通信部２９を介してユーザ端末１２−１に送信する。
ここで、「第１ＳＭＳ等」とは、後述のステップＳ１０において送信される第２ＳＭＳ等と区別するために、「第１」を付したＳＭＳ等である。「等」としているのは、後述するように、電子メール等、ＳＭＳ以外も採用可能なためである。ただし、以下の説明では、第１ＳＭＳ等としてＳＭＳが送信されるものとする。つまり、以下の説明では、第１キャリアのキャリア網Ｃ１によりＳＭＳが、第１ＳＭＳ等として送信されるものとする。
第１ＳＭＳ等には、図示はしないが、キャッシュバック手続処理に関する通知である旨を知らせる表示と、第１ｗｅｂページのＵＲＬ（Ｕｎｉｆｏｒｍ  Ｒｅｓｏｕｒｃｅ  Ｌｏｃａｔｏｒ）のリンク情報とが含まれている。なお、第１ｗｅｂページについては、後述する。
【００４８】
図６に示すステップＳ４０において、ユーザ端末１２−１は、第１ＳＭＳ等を受信する。
【００４９】
この間、ステップＳ５において、サービス提供サーバ１１の受信情報取得部１１２は、ユーザ端末１２−１から第１ｗｅｂページにアクセスがあったか否かを判定している。
ユーザ端末１２−１から第１ｗｅｂページにアクセスがない場合、ステップＳ５においてＮＯであると判定されて、処理はステップＳ５に戻される。即ち、ユーザ端末１２−１からのアクセスがあるまで、ステップＳ５の判定処理が繰り返されて、サービス提供サーバ１１側のキャッシュバック処理は待機状態になる。
第１ＳＭＳ等を視認したユーザが、ユーザ端末１２−１に表示された「第１ｗｅｂページのＵＲＬのリンク情報」に対して、クリック操作等をすると、図６に示すステップＳ４１において、ユーザ端末１２−１は、第１ｗｅｂページにアクセスする。
この場合、ステップＳ５においてＹＥＳであると判定されて、処理はステップＳ６に進む。
【００５０】
ステップＳ６において、サービス提供サーバ１１の送信情報生成部１１１は、ユーザ端末１２−１にＩＶＲ（Ｉｎｔｅｒａｃｔｉｖｅ  Ｖｏｉｃｅ  Ｒｅｓｐｏｎｓｅ）電話番号の案内と、Ｃｏｏｋｉｅの埋め込みを行う。
即ち、第１ｗｅｂページには、ＩＶＲ電話番号の案内として、図示はしないが例えば、「以下リンクよりダイヤルしてください」というメッセージと、その下方に配置される「電話番号認証」ボタンが含まれている。
第１ｗｅｂページは、ユーザ端末１２−１の所定のブラウザ等を介して、ユーザに提示される。また、このようにしてユーザ端末１２−１が第１ｗｅｂページにアクセスすると、当該ユーザ端末１２−１に対してＣｏｏｋｉｅが埋め込まれる。
【００５１】
ステップＳ７において、受信情報取得部１１２は、ユーザからの電話があったか否かを判定する。
ユーザ端末１２−１からの電話がない場合、ステップＳ７においてＮＯであると判定されて、処理はステップＳ７に戻される。即ち、ユーザ端末１２−１から電話があるまで、ステップＳ７の判定処理が繰り返されて、サービス提供サーバ１１側のキャッシュバック処理は待機状態になる。
【００５２】
通常の場合、ユーザは、第１ｗｅｂページのメッセージを視認した後「電話番号認証」ボタンを押下する。すると、図６に示すステップＳ４２において、ユーザ端末１２−１は、ＩＶＲ電話番号へ電話発信を行う。
この場合、ステップＳ７においてＹＥＳであると判定されて、処理はステップＳ８に進む。
【００５３】
ステップＳ８において、電話番号判定部１２１は、電話番号判定処理を実行する。即ち、電話番号判定部１２１は、ステップＳ７で電話受信した電話番号が、ステップＳ１で抽出された契約者情報（電話番号情報）により特定される電話番号と一致しているかを判定する。
つまり、本判定により、キャッシュバックの対象となるユーザ本人からの電話であることを確認する。この本判定により電話番号の一致が確認できた場合を、以下、「電話番号判定がＯＫ」と呼ぶ。
【００５４】
ステップＳ９において、電話番号判定部１２１は、ステップＳ８の電話番号判定がＯＫであったか否かを判定する。
【００５５】
仮にステップＳ７で電話受信したユーザ端末１２−１の電話番号が、ステップＳ１で抽出された契約者情報（電話番号情報）により特定されている電話番号と一致しない場合、「電話番号判定がＯＫ」とはならない。このような場合、ステップＳ９において、ＮＯであると判定されて、処理はステップＳ２２に進む。
【００５６】
ステップＳ２２において、電話番号判定部１２１は、ユーザ端末１２−１に対して、再架電依頼の処理を実行する。
ここで、再架電依頼の処理とは、ステップＳ６において案内したＩＶＲ電話番号へ再度、ユーザ端末１２−１から電話送信を行うように依頼する送信情報を、送信情報生成部１１１が生成し、通信部２９を介してユーザ端末１２−１に送信するまでの一連の処理をいう。
ステップＳ２２の再架電依頼の処理が終了すると、処理はステップＳ７に戻され、それ以降の処理が繰り返される。
即ち、ユーザ端末１２−１から再架電があった場合、ステップＳ７においてＹＥＳであると判定されて、再度ステップＳ８において電話番号判定処理が実行される。
なお、図４の例では、説明の便宜上、「電話番号判定がＯＫ」となるまで、ステップＳ７乃至Ｓ９のループ処理が繰り返されるが、実際には、ループ処理が所定回数繰り返された場合、第１キャリアに契約したユーザ端末１２−１のユーザ本人ではないと判定されて、キャッシュバック処理は強制終了となる。
【００５７】
このように、ステップＳ８及びＳ９の電話番号判定を行うことにより、第１キャリアに契約したユーザ端末１２−１のユーザ本人であるか否かの確認が行われる。
つまり、ステップＳ７で電話受信したユーザ端末１２−１の電話番号と、ステップＳ１で抽出された契約者情報（電話番号情報）により特定される電話番号とが一致している場合、本人確認ができたものとして「電話番号判定がＯＫ」となる。このような場合、ステップＳ９においてＹＥＳであると判定されて、処理はステップＳ１０に進む。
【００５８】
ステップＳ１０において、送信情報生成部１１１は、第２ＳＭＳを送信情報として生成して、通信部２９を介してユーザ端末１２−１に送信する。
ここで、第２ＳＭＳとは、上述したステップＳ４において送信される第１ＳＭＳ等と区別するために、「第２」を付したＳＭＳである。ここでは、契約したキャリアのキャリア網（本例では第１キャリアのキャリア網Ｃ１）で伝送されるＳＭＳのみが用いられるため、即ち電子メールは用いられないため、第１ＳＭＳ等とは異なり、「等」とはしていない。
第２ＳＭＳには、図示はしないが、キャッシュバック手続処理に関する通知である旨を知らせる表示と、第２ｗｅｂページのＵＲＬのリンク情報とが含まれている。なお、第２ｗｅｂページについては、後述する。
【００５９】
図６に示すステップＳ４３において、ユーザ端末１２−１は、第２ＳＭＳを受信する。
【００６０】
この間、ステップＳ１１において、サービス提供サーバ１１の受信情報取得部１１２は、ユーザ端末１２−１から第２ｗｅｂページにアクセスがあったか否かを判定している。
ユーザ端末１２−１から第２ｗｅｂページにアクセスがない場合、ステップＳ１１においてＮＯであると判定されて、処理はステップＳ１２に進む。
【００６１】
ステップＳ１２において、時間判定部１２５は、時間判定処理を実行する。即ち、時間判定部１２５は、ユーザ端末１２−１に対する第２ＳＭＳの送信タイミング（ステップＳ１０又はＳ２４）からの経過時間が、所定の時間（例えば１分）以内であるか否かを判定する。
つまり、本判定では、ユーザ端末１２−１からの第２ｗｅｂページへのアクセスが所定の時間（例えば１分）以内にあることを確認する。この本判定において所定の時間以内と判定された場合とは、ユーザ端末１２−１からの第２ｗｅｂページへのアクセスが所定の時間（例えば１分）以内にある可能性が残されていることを意味しているので、以下、「時間判定がＯＫ」と呼ぶ。
【００６２】
ステップＳ１３において、時間判定部１２５は、ステップＳ１２の時間判定がＯＫであったか否かを判定する。
第２ＳＭＳを送信してからの経過時間が所定の時間（例えば１分）以内である場合、「時間判定はＯＫ」として、ステップＳ１３においてＹＥＳであると判定されて処理はステップＳ１１に戻される。
即ち、ユーザ端末１２−１からの第２ｗｅｂページへのアクセスがなされるまでの間、ステップＳ１１〜Ｓ１３のループ処理が繰り返される。
このループ処理が何回も繰り返されて、第２ＳＭＳを送信してからの経過時間が所定の時間（例えば１分）を超えてしまった場合、「時間判定がＯＫ」とはならない。このような場合、ステップＳ１３において、ＮＯであると判定されて、処理はステップＳ２３に進む。
【００６３】
ステップＳ２３において、時間判定部１２５は、ユーザ端末１２−１に対して、再接続依頼の処理を実行する。
ここで、再接続依頼の処理とは、ＩＶＲ電話番号への電話発信をユーザ端末１２−１が再び行うように依頼する送信情報を、送信情報生成部１１１が生成し、通信部２９を介してユーザ端末１２−１に送信する処理をいう。
従って、ステップＳ２３において再接続依頼の処理が実行されると、処理はステップＳ７に戻されてそれ以降の処理が繰り返される。
つまり、例えば不正ユーザが、第２ＳＭＳを受信したユーザ端末１２−１から別のユーザ端末１２へＵＲＬ情報を転送して第２ｗｅｂページにアクセスを行ったり、或いは、第２ＳＭＳを受信したユーザ端末１２−１からＳＩＭカードを抜きだし別のユーザ端末１２に差し替えて第２ｗｅｂページにアクセスを行う場合、所定の時間（例えば１分）以上要すことになる。このような不正ユーザに対して、キャッシュバック処理が実行されるのを防止すべく、ステップＳ１２、Ｓ１３の時間判定が行われている。
【００６４】
正当なユーザであれば、ユーザ端末１２−１に第２ＳＭＳを送信されてから、所定の時間（１分以内）に、ユーザ端末１２−１を操作して、第２ｗｅｂページにアクセスしてくる。この場合、「時間判定はＯＫ」の状態（ステップＳ１３においてＹＥＳであると判定され続ける状態）のまま、ステップＳ１１においてＹＥＳであると判定されて、処理はステップＳ１４に進む。
【００６５】
ステップＳ１４において、アクセス網判定部１２３は、アクセス網判定処理を実行する。即ち、アクセス網判定部１２３は、ユーザ端末１２−１から第２ｗｅｂページへのアクセスした際の通信方式が、キャリア網接続によるものか、それとも、Ｗｉ−Ｆｉ（登録商標）接続によるものかを判定する。
ここで、上述したように、キャッシュバックの条件（コンセプト）は、少なくともキャッシュバック処理中においては、契約したキャリアのキャリア網を用いて通信をすることである。
従って、本判定において、ユーザ端末１２−１から第２ｗｅｂページへのアクセスした際の通信方式が、契約したキャリアのキャリア網接続（本例では第１キャリアのキャリア網Ｃ１への接続）である場合、「アクセス網判定がＯＫ」と呼ぶ。
【００６６】
ステップＳ１５において、アクセス網判定部１２３は、ステップＳ１４のアクセス網判定がＯＫであったか否かを判定する。
従って、仮にユーザ端末１２−１から第２ｗｅｂページへのアクセスの際に、Ｗｉ−Ｆｉ（登録商標）接続が利用されていた場合、「アクセス網判定がＯＫ」とはならない。このような場合、ステップＳ１５においてＮＯであると判定されて、処理はステップＳ２４に進む。
【００６７】
ステップＳ２４において、アクセス網判定部１２３は、ユーザ端末１２−１への再接続依頼の処理を実行する。
ここで、再接続依頼の処理とは、ユーザ端末１２−１から第２ｗｅｂページへのアクセスの際にＷｉ−Ｆｉ（登録商標）接続をオフにし、キャリア網接続に切り替えるように依頼する送信情報を、送信情報生成部１１１が生成し、通信部２９を介してユーザ端末１２−１に送信する処理をいう。
ユーザ端末１２−１から再アクセスがあった場合、ステップＳ１１においてＹＥＳであると判定されて、再度ステップＳ１４においてアクセス網判定処理が実行される。
上述したように、正当なユーザであっても、キャッシュバック処理の際にたまたまＷｉ−Ｆｉ（登録商標）接続を利用している場合もあり得る。このような正当なユーザであれば、キャリア網接続に切替えてくれる筈である。この場合、「アクセス網判定がＯＫ」となり、ステップＳ１５においてＹＥＳであると判定される。
これに対して、Ｗｉ−Ｆｉ（登録商標）接続を利用し続ける不正ユーザの場合、ステップＳ１５でＮＯであると判定され続ける。そこで、図５には図示はしないが、所定回数以上のステップＳ２４の再接続依頼がなされても、Ｗｉ−Ｆｉ（登録商標）接続を利用し続ける場合、不正ユーザであるとして、キャッシュバック処理を強制終了させる。
つまり、ステップＳ１４，Ｓ１５のアクセス網判定を行うことにより、契約したキャリアのキャリア網接続を一切使用せずに、Ｗｉ−Ｆｉ（登録商標）接続のみで通信を行う不正ユーザに対して、キャッシュバック処理が実行されるのを防止することができる。
【００６８】
上述したように正当なユーザであれば、キャリア網接続が利用されて「アクセス網判定がＯＫ」となるので、ステップＳ１５においてＹＥＳであると判定されて、処理はステップＳ１６に進む。
【００６９】
ステップＳ１６において、Ｃｏｏｋｉｅ判定部１２４は、Ｃｏｏｋｉｅ判定処理を実行する。即ち、Ｃｏｏｋｉｅ判定部１２４は、第２ｗｅｂページへアクセスしたユーザ端末１２（ユーザ端末１２−１以外の場合もあり得る）にＣｏｏｋｉｅが埋め込まれているか否かを判定する。
【００７０】
ステップＳ１７において、Ｃｏｏｋｉｅ判定部１２４は、ステップＳ１６のＣｏｏｋｉｅ判定がＯＫであったか否かを判定する。
ここで、「Ｃｏｏｋｉｅ判定がＯＫ」とは、第２ｗｅｂページにアクセスしたユーザ端末１２にＣｏｏｋｉｅが埋め込まれていること、即ち、第２ｗｅｂページにアクセスしたユーザ端末１２とはＣｏｏｋｉｅが埋め込まれたユーザ端末１２−１であることをいう。
【００７１】
従って、仮に第２ｗｅｂページへアクセスしたユーザ端末１２にＣｏｏｋｉｅが埋め込まれていない場合、「Ｃｏｏｋｉｅ判定がＯＫ」とはならない。このような場合、ステップＳ１７において、ＮＯであると判定されて、処理はステップＳ２５に進む。
ステップＳ２５において、Ｃｏｏｋｉｅ判定部１２４は、ユーザ端末１２−１に、再接続依頼の処理を実行する。
ここで、再接続依頼の処理とは、ユーザ端末１２−１から第１ｗｅｂページへのアクセスを再び行うように依頼する送信情報を、送信情報生成部１１１が生成し、通信部２９を介してユーザ端末１２−１に送信する処理をいう。
従って、ステップＳ２５において再接続依頼の処理が実行されると、処理はステップＳ５に戻されてそれ以降の処理が繰り返される。
つまり、例えば不正ユーザが、第２ＳＭＳを受信したユーザ端末１２−１から別のユーザ端末１２へＵＲＬ情報を転送して第２ｗｅｂページにアクセスを行ったり、或いは、第２ＳＭＳを受信したユーザ端末１２−１からＳＩＭカードを抜きだし別のユーザ端末１２に差し替えて第２ｗｅｂページにアクセスを行う場合、第２ｗｅｂページにアクセスしてきた別のユーザ端末１２にはＣｏｏｋｉｅが埋め込まれていない。このような不正ユーザに対して、キャッシュバック処理が実行されるのを防止すべく、ステップＳ１６、Ｓ１７のＣｏｏｋｉｅ判定が行われている。
【００７２】
正当なユーザであれば、第１ｗｅｂにアクセスしてＣｏｏｋｉｅが埋め込まれたユーザ端末１２−１を操作して、第２ｗｅｂページにアクセスしてくる。この場合、「Ｃｏｏｋｉｅ判定はＯＫ」となるので、ステップＳ１７においてＹＥＳであると判定されて、処理はステップＳ１８に進む。
【００７３】
ステップＳ１８において、最終判定部１２６は、購入時期判定・電話番号判定処理を実行する。即ち、最終判定部１２６は、ステップＳ７で電話受信したユーザ端末１２−１の電話番号が、ステップＳ１で抽出された契約者情報内の電話番号情報により特定される電話番号と一致していることで、改めてユーザ本人であることを確認する。更に、最終判定部１２６は、ユーザ端末１２−１の購入時期がキャッシュバックの対象期間となっていることも確認する。
このような確認がＯＫの場合、「購入時期判定・電話番号判定がＯＫ」と呼ぶ。
【００７４】
ステップＳ１９において、最終判定部１２６は、ステップＳ１８の購入時期判定・電話番号判定がＯＫであったか否かを判定する。
従って、ステップＳ７で電話受信したユーザ端末１２−１の電話番号が、ステップＳ１で抽出された契約者情報（電話番号情報）により特定される電話番号と一致していないか、又は、ユーザ端末１２−１の購入時期が対象期間でない場合、「購入時期判定・電話番号判定がＯＫ」とはならない。このような場合、ステップＳ１９において、ＮＯであると判定されて、処理はステップＳ２６に進む。
ステップＳ２６において、最終判定部１２６は、ユーザ端末１２−１に、再アクセスを依頼する等の、携帯ショップ問い合わせ表示処理を実行する。
携帯ショップ問い合わせ表示処理を実行した後、キャッシュバック処理は終了となる。
【００７５】
一方、正当なユーザの場合、「購入時期判定・電話番号判定がＯＫ」となり、ステップＳ１９においてＹＥＳであると判定されて、処理はステップＳ２０に進む。
ステップＳ２０において、振込実行部１０４は、振込実行処理を実行する。
なお、振込実行処理は、ユーザ端末１２−１の正当なユーザに対して、キャッシュバック（所定の金額が譲渡）される処理であれば、特に限定されない。例えば本実施形態では、ユーザ端末１２−１において、振込先口座情報の登録や、コンビニエンスストア等での受け取り等、キャッシュバックの方法をユーザが選択操作可能とし、選択された方法でネット送金（キャッシュバック）を実行する処理が、振込実行処理として採用されている。
つまり、図６に示すステップＳ４５の振込実行処理では、上述したキャッシュバックの方法の選択操作を受付け、その方法でネット送金（キャッシュバック）を受付けるまでの一連の処理が実行される。
振込実行処理が実行されると、キャッシュバック処理は終了となる。
【００７６】
以上、本発明の一実施形態について説明したが、本発明は、上述の実施形態に限定されるものではなく、本発明の目的を達成できる範囲での変形、改良等は本発明に含まれるものである。
【００７７】
例えば、上述の説明では、ステップＳ４で第１ＳＭＳ等として、ＳＭＳが送信されるものとしたが、上述したように、ＳＭＳ以外、例えば電子メールが送信されてもよい。
なお、この電子メールの送信時にユーザ端末１２−１の電話番号が不明等の場合、図６に示すステップＳ４２のユーザ端末１２−１が電話発信した際に、キャリア判定を実行してもよい。
換言すると、キャリア判定のタイミングは、特に限定されず、例えば、第１ＳＭＳ等をユーザ端末１２−１へ送信した後に、キャリア判定を行ってもよい。
【００７８】
また、アクセス網判定処理のタイミングも、特に限定されない。更に言えば、理想的には、少なくともキャッシュバック処理中においてはキャリア網接続を常に行っていることを確認できるとよい。従って、アクセス網判定処理の回数は、特に１回に限定されず、複数回でもよい。例えば、キャリア網接続からＷｉ−Ｆｉ（登録商標）接続へ切り替えが可能なタイミングで、複数回、アクセス網判定処理を行ってもよい。具体的には例えば、ステップＳ５において、ユーザ端末１２−１から第１ｗｅｂページにアクセスがあった際にアクセス網判定をしてもよい。
【００７９】
また、上述の実施形態では、ユーザ端末１２は、スマートフォンとして構成されているが、特にこれに限定されない。
例えば、ユーザ端末１２としては、所定のキャリアと契約して、当該キャリアのキャリア網接続が可能となる電子機器一般を適用することができる。具体的には、例えば、ユーザ端末１２として、ノート型のパーソナルコンピュータ、デジタルカメラ、ビデオカメラ、携帯型ナビゲーション装置、携帯電話機、ポータブルゲーム機等を適用することが可能である。
【００８０】
換言すると、本発明が適用される情報処理装置は、次のような構成を有すれば足り、各種各様な実施の形態を取ることができる。
【００８１】
本発明が適用される情報処理装置は、
キャッシュバックの対象候補となる携帯端末に割り当てられた電話番号が登録されているキャリアを判定するキャリア判定手段と、
前記携帯端末が使用している通信方式が、Ｗｉ−Ｆｉ（登録商標）接続とキャリア網接続とのうち何れであるのかを判定するアクセス網判定手段と、
前記キャリア判定手段により判定された前記キャリアが、当該携帯端末の購入時に契約したキャリアと一致し、かつ、前記アクセス網判定手段により判定された通信方式が前記キャリア網接続である場合、当該携帯端末のユーザに対してキャッシュバックをするための振込処理を実行する振込処理手段と、
を備える。
【００８２】
ここで、前記携帯端末に対して指定した場所に電話がかかってきた際に得られる電話番号と、前記携帯端末の購入時に契約したキャリアから割り当てられた電話番号とが一致しているか否かを判定する電話番号判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記電話番号判定手段により２つの電話番号が一致していると判定された場合、前記振込処理を実行する、
こともできる。
【００８３】
また、前記携帯端末に対して指定した第１ｗｅｂページにアクセスしてきた端末に対してＣｏｏｋｉｅを埋め込み、その後、当該携帯端末に対して指定した第２ｗｅｂページにアクセスしてきた端末に、前記Ｃｏｏｋｉｅが埋め込まれているか否かを判定するＣｏｏｋｉｅ判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記Ｃｏｏｋｉｅ判定手段により前記Ｃｏｏｋｉｅが埋め込まれていると判定された場合、前記振込処理を実行する、
こともできる。
【００８４】
また、所定のｗｅｂページの所在を示す情報を前記携帯端末に送信してから、当該携帯端末から前記ｗｅｂページにアクセスするまでの時間が、所定時間を超えていないか否かを判定する時間判定手段を更に備え、
前記振込処理手段は、前記キャリア判定手段により判定された前記キャリアが、当該携帯端末の購入時に契約したキャリアと一致し、かつ、前記アクセス網判定手段により判定された通信方式が前記キャリア網接続である場合に加えて、前記時間判定手段により前記所定時間を超えていないと判定された場合、前記振込処理を実行する、
こともできる。
【００８５】
上述の実施形態による一連の処理は、ハードウェアにより実行させることもできるし、ソフトウェアにより実行させることもできる。
換言すると、上述した各手段による一連の処理を全体として実行できる機能が情報処理システムに備えられていれば足り、この機能を実現するためにどのように各手段を構成するのかについては特に限定されない。即ち、所定の手段は、ハードウェア単体で構成してもよいし、ソフトウェア単体で構成してもよいし、それらの組み合わせで構成してもよい。
【００８６】
一連の処理をソフトウェアにより実行させる場合には、そのソフトウェアを構成するプログラムが、ユーザ端末、サーバ、携帯ショップ装置等のコンピュータに対して、ネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８７】
このようなプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。リムーバブルメディアは、例えば、磁気ディスク、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されているＲＯＭや、ハードディスク等で構成される。
【００８８】
なお、記録媒体に記録されるプログラムを記述するステップは、その順序に沿って時系列的に行われる処理はもちろん、必ずしも時系列的に処理されなくとも、並列的或いは個別に実行される処理をも含むものである。
【００８９】
また、本明細書において、システムとは、複数の装置や複数の部等より構成される全体的な装置を意味する。
【符号の説明】
【００９０】
１１・・・サービス提供サーバ、１２−１，１２−２，１２−ｎ・・・ユーザ端末、１３・・・携帯ショップ装置、Ｃ１，Ｃ２・・・キャリア網、１０１・・・通信制御部、１０２・・・抽出部、１０３・・・判定部、１０４・・・振込実行部、１１１・・・送信情報生成部、１１２・・・受信情報取得部、１２１・・・電話番号判定部、１２２・・・キャリア判定部、１２３・・・アクセス網判定部、１２４・・・Ｃｏｏｋｉｅ判定部、１２５・・・時間判定部、１２６・・・最終判定部、１３０・・・ＨＬＲ
【図１】
2019109925.tif 000003
【図２】
2019109925.tif 000004
【図３】
2019109925.tif 000005
【図４】
2019109925.tif 000006
【図５】
2019109925.tif 000007
【図６】
2019109925.tif 000008
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
ユーザが使用するユーザ装置に割り当てられた電話番号が登録されているキャリアを判定する第１判定手段と、
前記ユーザ装置が使用している通信方式が、キャリア網接続であるか否かを判定する第２判定手段と、
前記第１判定手段により判定された前記キャリアが、前記ユーザ装置について登録されていたキャリアと一致し、かつ、前記第２判定手段により通信方式が前記キャリア網接続であると判定された場合、当該ユーザ装置の前記ユーザを正当ユーザと判定する第３判定手段と、
を備える情報処理装置。
【請求項２】
前記ユーザ装置に対して指定した場所に電話がかかってきた際に得られる電話番号と、前記ユーザ装置について登録されていたキャリアから割り当てられた電話番号とが一致しているか否かを判定する第４判定手段、
を更に備える請求項１に記載の情報処理装置。
【請求項３】
前記ユーザ装置に対して指定した第１ｗｅｂページにアクセスしてきた端末に対してＣｏｏｋｉｅを埋め込み、その後、当該ユーザ装置に対して指定した第２ｗｅｂページにアクセスしてきた端末に、前記Ｃｏｏｋｉｅが埋め込まれているか否かを判定する第５判定手段、
を更に備える請求項１に記載の情報処理装置。
【請求項４】
所定のｗｅｂページの所在を示す情報を前記ユーザ装置に送信してから、当該ユーザ装置から前記ｗｅｂページにアクセスするまでの時間が、所定時間を超えていないか否かを判定する第６判定手段、
を更に備える請求項１に記載の情報処理装置。
【請求項５】
情報処理装置が実行する情報処理方法において、
ユーザが使用するユーザ装置に割り当てられた電話番号が登録されているキャリアを判定する第１判定ステップと、
前記ユーザ装置が使用している通信方式が、キャリア網接続であるか否かを判定する第２判定ステップと、
前記第１判定ステップの処理により判定された前記キャリアが、前記ユーザ装置について登録されていたキャリアと一致し、かつ、前記第２判定ステップの処理により通信方式が前記キャリア網接続であると判定された場合、当該ユーザ装置の前記ユーザを正当ユーザと判定する第３判定ステップと、
を含む情報処理方法。
【請求項６】
コンピュータに、
ユーザが使用するユーザ装置に割り当てられた電話番号が登録されているキャリアを判定する第１判定ステップと、
前記ユーザ装置が使用している通信方式が、キャリア網接続であるか否かを判定する第２判定ステップと、
前記第１判定ステップの処理により判定された前記キャリアが、前記ユーザ装置について登録されていたキャリアと一致し、かつ、前記第２判定ステップの処理により通信方式が前記キャリア網接続であると判定された場合、当該ユーザ装置の前記ユーザを正当ユーザと判定する第３判定ステップと、
を含む情報処理を実行させるプログラム。